(57)【特許請求の範囲】
【請求項１】
ボイラ缶内に空気を送り込み燃料を燃焼させる燃焼用ファンの駆動モータの電気配線に挟み込まれて供給される電流値を検出する燃焼用ファンテスタと、
ボイラ缶のエア抜き弁に螺合されてボイラ缶内の圧力を検出する圧力センサと、
燃焼用ファンテスタが検出した燃焼用ファンの駆動モータの電流値と圧力センサが検出したボイラ缶内の圧力とによってボイラの使用蒸気量を演算する診断手段とを備えたボイラ用蒸気負荷分析装置。
【請求項２】
燃焼用ファンテスタは、燃焼用ファンの駆動モータへ電力を供給する電気配線を挟むことによって電流値を検出するクランプ式のテスタであることを特徴とする請求項１に記載のボイラ用蒸気負荷分析装置。
【請求項３】
圧力センサは、ボイラのエア抜き弁に取り付けられるものであることを特徴とする請求項１または２に記載のボイラ用蒸気負荷分析装置。
【請求項４】
ボイラの使用蒸気量の演算を、ボイラの缶内圧力が一定の場合にはバーナ蒸発量を用いて行い、ボイラの缶内圧力が変動する場合にはバーナ蒸発量に自己蒸発量を加算して行うことを特徴とする請求項１〜３のいずれか１項に記載のボイラ用蒸気負荷分析装置。
【発明の詳細な説明】
【技術分野】
【０００１】
本発明は、ボイラにおける蒸気使用量を演算するボイラ用蒸気負荷分析装置に関する。
【背景技術】
【０００２】
工場やビルなどでは、ボイラで発生した蒸気を加熱手段あるいは暖房手段として用いているが、ボイラの稼動状況は、一般に熱管理機器と呼ばれる蒸気流量計，燃料流量計，給水流量計，ブロー流量計などから各数値を読み取り記録することによって把握される。蒸気や温水を供給するエネルギーセンターなどのエネルギー管理指定工場にはこれらの機器が設置されており、正確な稼動状況を把握することができるが、蒸気流量計等は高価なため一般の工場，ホテルまたは個人商店などでは設置されていない場合が多く、蒸気流量計などから各数値を読み取ることができない。また刻一刻と変化する稼動状況を人の手によって記録することはできないので、１時間毎の給水流量，燃料流量などを記録してそのデータから蒸気使用量の平均値を算出している。
【０００３】
ボイラを増設し、あるいは更新するときには、最高蒸気使用量，時間的負荷変動を知りたい場合があるが、１時間毎の給水流量，燃料流量などから蒸気使用量の平均値を算出する方法では最高蒸気使用量，時間的負荷変動などの正確な値を求めることができない。
【０００４】
特許文献１には、蒸気流量計を用いることなく蒸気使用量を出力するボイラ用蒸気負荷分析装置が記載されている。このボイラ用蒸気負荷分析装置は、ボイラに接続された燃料供給ラインの燃料流量を計測する燃料流量計と、ボイラの缶内圧力を測定する圧力センサと、燃料流量計からの信号により蒸気使用量を演算する負荷分析器とを備える。
【０００５】
燃料供給ラインに挿設される燃料流量計として回転積算型のものが用いられ、燃料流量計の回転軸には円板が取り付けられる。この円板の外縁近傍部分には、１回転分を1/20〜1/100 程度に等分割した識別片が設けられており、サンプリング時間にセンサを横切った識別片の個数を積算して燃料流量の変化量が測定される。
【０００６】
ボイラ用蒸気負荷分析装置は、圧力センサが蒸気圧力下降を検出した時に、圧力降下に対応する自己蒸発量を加算して蒸気使用量を計算し、圧力センサが蒸気圧力上昇を検出した時には、圧力上昇に対応するボイラ保有水量分のエンタルピー上昇に必要な熱量に相当する蒸気量を差し引いて蒸気使用量を計算する。蒸気使用量は、燃料流量と蒸気圧力のデータに基づいて算出される。
【先行技術文献】
【特許文献】
【０００７】
【特許文献１】特開平９−１１９６０２号公報
【発明の概要】
【発明が解決しようとする課題】
【０００８】
特許文献１に記載されるボイラ用蒸気負荷分析装置では、燃料流量の変化量を測定するために、燃料流量計の回転軸に識別片を備えた円板を取り付け、さらに識別片に近接して光電センサ等を設置するが、これらの機器はボイラの稼動を停止した状態で設置しなければならず、ボイラ用蒸気負荷分析装置を設置する作業に手間が掛かりコスト高になるという問題がある。
【０００９】
本発明の目的はこのような課題を解決するもので、容易に短時間で設置することができ、蒸気流量計を用いることなく蒸気使用量を出力することができるボイラ用蒸気負荷分析装置を提供することである。
【課題を解決するための手段】
【００１０】
この課題を解決するために、本発明のボイラ用蒸気負荷分析装置は、ボイラ缶内に空気を送り込み燃料を燃焼させる燃焼用ファンの駆動モータの電気配線に挟み込まれて供給される電流値を検出する燃焼用ファンテスタと、ボイラ缶のエア抜き弁に螺合されてボイラ缶内の圧力を検出する圧力センサと、燃焼用ファンテスタが検出した燃焼用ファンの駆動モータの電流値と圧力センサが検出したボイラ缶内の圧力とによってボイラの使用蒸気量を演算する診断手段とを備える。また、燃焼用ファンテスタが、燃焼用ファンの駆動モータへ電力を供給する電気配線を挟むことによって電流値を検出するクランプ式のテスタであっても良い。また、圧力センサが、ボイラのエア抜き弁に取り付けられるものであっても良い。
【発明の効果】
【００１１】
請求項１記載の発明によれば、蒸気流量計を用いることなく蒸気使用量を出力することができ、しかもボイラ缶内に空気を送り込む燃焼用ファンの駆動モータの電気配線をクランプ式のテスタで挟んで燃焼用ファンに供給される電流値を検出し、ボイラ停止時にボイラの内圧を下げるエア抜き弁に圧力センサを取り付けてボイラ缶内の圧力を検出するので、ボイラの稼動を停止することなくボイラ用蒸気負荷分析装置を短時間で容易に設置することができる。
【図面の簡単な説明】
【００１２】
【図１】本発明の一実施形態に係るシステムの概略を示す説明図である。
【図２】蒸気負荷分析装置１の構成を示す概略図である。
【図３】圧力センサ３の取り付け状態を示す外観図である。
【図４】燃焼用ファンクランプメータ４の取り付け状態を示す外観図である。
【図５】燃焼信号用クランプメータ５の取り付け状態を示す外観図である。
【図６】診断装置２による分析結果を示す図である。
【発明を実施するための形態】
【００１３】
以下、本発明の一実施形態について図１〜図３に基づいて説明する。図１は、本発明の一実施形態に係るシステムの概略を示す説明図である。図２は、ボイラ用蒸気負荷分析装置１の構成を示す概略図である。ボイラ用蒸気負荷分析装置１は、診断手段である診断装置２と、圧力センサ３と、燃焼用ファンテスタである燃焼用ファンクランプメータ４と、燃焼信号用クランプメータ５とを備える。圧力センサ３，燃焼用ファンクランプメータ４および燃焼信号用クランプメータ５は、各々信号線１８で診断装置２に接続されている。ボイラ６には、燃料供給ライン７、給水ライン８および蒸気ライン９が接続されており、さらにボイラ６の本体には、燃料供給ライン７から供給される燃料を燃焼させるバーナ１１と、ボイラ６停止時に開放してボイラ６の内圧を下げるエア抜き弁１０とが設けられ、燃料供給ライン７には燃料流量を制御する燃料用電磁弁１３が設けられる。
【００１４】
図３は、圧力センサ３の取り付け状態を示す外観図である。圧力センサ３は、たとえば長野計器社製ＫＨ‐１５が用いられ、ボイラ６の缶内の圧力を検出する。ボイラ６の最高使用圧力が０．９８ＭＰａ未満の場合には、圧力センサ３は、銅管１７を介してエア抜き弁１０に螺合して接続される。このように圧力センサ３は、ボイラ６が稼動している状態で、容易に閉状態のエア抜き弁１０に取り付けることができる。なお図示しないが最高使用圧力が０．９８ＭＰａ以上の場合には、ボイラによって圧力センサ３が、銅管１７を介してエア抜き弁１０にフランジ接続されるものもある。圧力センサ３の計測範囲は０〜２ＭＰａである。
【００１５】
図４は、燃焼用ファンクランプメータ４の取り付け状態を示す外観図である。燃焼用ファンクランプメータ４として、たとえば日置電機社製クランプメータ３２８３型が用いられる。バーナ１１にはボイラ６の缶内に空気を送り込む燃焼用ファン１２が設けられており、燃焼用ファンクランプメータ４は、燃焼用ファン１２の駆動モータのための電気配線１４を挟み込む。たとえばボイラ制御盤１５内に設置された燃焼用ファン１２の電気配線１４を挟み込み、燃焼用ファン１２に供給される電流値を容易に計測することができる。
【００１６】
図５は、燃焼信号用クランプメータ５の取り付け状態を示す外観図である。燃焼信号用クランプメータ５として、たとえば燃焼用ファンクランプメータ４と同様に日置電機社製クランプメータ３２８３型が用いられる。燃焼信号用クランプメータ５は、燃料用電磁弁１３の電気配線１６を挟み込む。たとえばボイラ制御盤１５内に設置された燃料用電磁弁１３の電気配線１６を挟み込み、燃料用電磁弁１３に供給される電流値を容易に計測することができる。これによって燃料用電磁弁１３が開いておりボイラ６が燃焼状態であることを確認することができる。
【００１７】
次に圧力センサ３から得られたボイラ缶内圧力のデータと、燃焼用ファンクランプメータ４から得られた燃焼用ファン１２に供給される電流値のデータとに基づいて使用蒸気量を算出する方法について説明する。なおデータのサンプリング時間は５秒毎とする。
【００１８】
ボイラ６の缶内圧力が一定の場合には、ボイラ６に入ってくる熱量のすべてが蒸気を発生させるために費やされるので、使用蒸気量としてバーナ蒸発量を用いることができる。
バーナ蒸発量（ｋｇ／ｈ）＝（負荷率（％）×換算蒸発量（ｋｇ／ｈ）×１００℃の蒸気エンタルピー（ｋｃａｌ／ｋｇ））÷（蒸気エンタルピー（ｋｃａｌ／ｋｇ）−給水エンタルピー（ｋｃａｌ／ｋｇ））
ここで、
負荷率（％）＝１−（１−（計測電流値（Ａ）÷定格電流値（Ａ）−０．４）÷０．６）÷負荷補正率
計測電流値および定格電流値は、燃焼用ファン１２の計測電流値および定格電流値である。バーナ蒸発量は、ボイラ６の缶内に供給される過剰空気量に比例し、過剰空気量は燃焼用ファン１２の駆動モータの電流値に比例するので、過剰空気を送り込む燃焼用ファン１２の電流値を用いてバーナ蒸発量を算出することができる。負荷補正率とは、ボイラ６毎の最低燃焼量によって変化させる値で、通常は０．９である。  
【００１９】
ボイラ６の缶内圧力が変動する場合には、使用蒸気量は、バーナ蒸発量に自己蒸発量が加算された蒸発量となる。
自己蒸発量（ｋｇ／ｈ）＝（飽和水エンタルピー（ｋｃａｌ／ｋｇ）−５秒後の飽和水エンタルピー（ｋｃａｌ／ｋｇ））×保有水量（ｍ３）÷比容積（ｍ３／ｋｇ））÷（（蒸気エンタルピー（ｋｃａｌ／ｋｇ）−５秒後の飽和水エンタルピー（ｋｃａｌ／ｋｇ））÷２−５秒後の飽和水エンタルピー（ｋｃａｌ／ｋｇ））×６０×１２
使用蒸気量（ｋｇ／ｈ）＝自己蒸発量（ｋｇ／ｈ）＋バーナ蒸発量（ｋｇ／ｈ）
平均蒸発量（ｋｇ／ｈ）＝計測ポイントの前後１５分間における使用蒸気量（ｋｇ／ｈ）の平均値
診断装置２は、燃焼用ファン１２の電流値のデータとボイラ６の缶内圧力のデータとに基づいて、５秒毎に使用蒸気量を算出し、さらに計測時刻の前後各１５分間の使用蒸気量に基づいて平均蒸発量を算出する。
【００２０】
【表１】
0005683148.tif 000002
たとえば表１に示すように、炉筒１号，炉筒２号，貫流１号〜貫流３号の５基の蒸気ボイラが用いられる。１号ボイラと２号ボイラとは炉筒煙管ボイラであり、３号ボイラ〜５号ボイラは貫流ボイラである。１号ボイラ〜５号ボイラの最高使用圧力は、０．９８ＭＰａであり、常用圧力は、０・４９ＭＰａ〜０．５９ＭＰａである。燃料としてＡ重油が使用される。
【００２１】
図６は、診断装置２による分析結果を示す図である。データ収集は９日間行われ、図６はデータ収集開始から６日目の診断装置２による分析結果の一部を示す。図中のＬ１は、１号ボイラ〜５号ボイラの各々の使用蒸気量を加えたトータル蒸発量を示し、Ｌ２は、１号ボイラ〜５号ボイラの各々の使用蒸気量を加えたトータルの蒸発量の、前後１５分間における平均値を示す。Ｌ２は、なだらかな曲線となる。Ｌ３，Ｌ４，Ｌ５，Ｌ６およびＬ７は、圧力センサ３が検出した１号ボイラ〜５号ボイラの缶内圧力である。Ｌ２に示す各ボイラの使用蒸気量を加えたトータル蒸発量の平均値は、７時２０分〜７時３０分の間で出力された９２１４ｋｇ／ｈが最大であった。
【００２２】
【表２】
0005683148.tif 000003
分析結果を表２に示す。上述するように各ボイラの使用蒸気量を加えたトータル蒸発量の平均値の最大値は９２１４ｋｇ／ｈであり、測定期間中の各ボイラの使用蒸気量を加えたトータル蒸発量の平均値は５０３６ｋｇ／ｈであった。なお、測定期間中の負荷率の平均値である平均負荷率は３９％であり、測定期間中の入出熱法によるボイラ効率は８４％であった。
【００２３】
このように、ボイラ６の缶内に空気を送り込み燃料を燃焼させる燃焼用ファン１２の駆動モータの電気配線を挟み燃焼用ファン１２の駆動モータに供給される電流値を検出する燃焼用ファンクランプメータ４と、ボイラ６停止時にボイラ６の内圧を下げるエア抜き弁１０に螺合されボイラ６の缶内の圧力を検出する圧力センサ３と、燃焼用ファンクランプメータ４が検出した燃焼用ファン１２の電流値と圧力センサ３が検出したボイラ３缶内の圧力とによって使用蒸気量を演算する診断手段である診断装置２とを備えるので、ボイラの稼動を停止することなく、蒸気負荷分析装置１を容易に短時間で設置することができ、ボイラ６の缶内に空気を送り込む燃焼用ファン１２の電気配線を燃焼用ファンクランプメータ４で挟んで燃焼用ファン１２に供給される電流値を検出し、圧力センサ３をエア抜き弁１０に螺合してボイラ６の缶内の圧力を検出して、蒸気流量計を用いることなく蒸気使用量を出力することができる。
【００２４】
なお、蒸気使用量を算出する場合にボイラ６の構造の違いは問題にならない。炉筒煙管ボイラ，水管ボイラ，貫流ボイラなどのいずれの構造のものであっても負荷補正率を変更して蒸気使用量を算出することができる。またデータのサンプリング時間は５秒毎に設定したが、これに限定されるものではなく５秒毎以外のものでもよい。
【符号の説明】
【００２５】
１    蒸気負荷分析装置
２    診断装置
３    圧力センサ
４    燃焼用ファンクランプメータ
５    燃焼信号用クランプメータ
６    ボイラ
７    燃料供給ライン
８    給水ライン
９    蒸気ライン
１０    エア抜き弁
１１    バーナ
１２    燃焼用ファン
１３    燃料用電磁弁
１４，１６    電気配線
１５    ボイラ制御盤
１７    銅管
１８    信号線
【図１】
0005683148.tif 000004
【図２】
0005683148.tif 000005
【図３】
0005683148.tif 000006
【図４】
0005683148.tif 000007
【図５】
0005683148.tif 000008
【図６】
0005683148.tif 000009